(57)【要約】【課題】ロック固定係合部材或いは定位係合部材を交換するだけで、簡単、迅速に固定蓋装置とフロートライズキャップ装置を相互に転換することができる金型におけるダイセット導向部品の固定ブロックを提供する。【解決手段】ガイドポスト及びコントロールユニットを備え、前記コントロールユニットはロック固定係合部材、ソケット、ワッシャ、ロック固定ネジにより構成する。前記ロック固定係合部材、該定位係合部材は直径が異なり、他の構成部品は共用可能であり、前記ロック固定係合部材或いは該定位係合部材を交換するだけで、簡単、迅速に固定蓋装置とフロートライズキャップ装置を相互に転換することができる。【選択図】  図６
0003108398.tif 000002
【実用新案登録請求の範囲】
【請求項１】
ガイドポスト及びコントロールユニットを備え、
前記ガイドポストはダイセットの導線のガイドを行うよう構成され、該ガイドポストの一端に所望の内径と深さを有し、かつ内側に雌ねじを形成した階段盲孔状のロック対応孔を設け、
前記コントロールユニットはダイセットのガイド作業をコントロールし、ロック固定係合部材、ソケット、ワッシャ、ロック固定ネジにより構成し、
前記ロック固定係合部材は隙間のある状態で前記ガイドポストのロック対応孔内に嵌入し、かつ所望の長さを有して軸芯に孔を有し、
前記ソケットは一端に隙間のある状態で前記ガイドポストのロック対応孔内に嵌入され、反対端にフランジを設け、軸芯に２段階状の穿孔を形成し、前記フランジ端の反対端内において縮小し形成された肩部を有し、
前記ワッシャは隙間のある状態で前記ソケット内に嵌入し、かつ該ソケットの肩部により固定され、
前記ロック固定ネジはワッシャ、ソケット、ロック固定係合部材を順番に穿通し、最後にガイドポストと螺合結合することを特徴とするダイセット導向部品の固定ブロック。
【請求項２】
前記ロック固定係合部材の直径は、前記ソケット内の階段状孔である小孔の直径より大きく設定することを特徴とする請求項１記載のダイセット導向部品の固定ブロック。
【請求項３】
前記ロック固定係合部材の直径は、前記ソケット内の階段状孔である小孔の直径よりやや小さく設定して、定位係合構造を構成することを特徴とする請求項１記載のダイセット導向部品の固定ブロック。
【考案の詳細な説明】
【技術分野】
【０００１】
本考案は、金型のダイセットの交換、校正時の固定作業或いは変更作業において使用するダイセット導向部品の固定ブロックに係り、特に簡単、迅速に交換可能な使用形態で、設備コストを効果的に節減可能にしたダイセット導向部品の固定ブロックに関する。
【背景技術】
【０００２】
市場競争が激烈になり、市場ニーズが少量多品種に向って発展している現在、メーカーの生産形態も変らざるを得ず、生産金型を弾力的に調整して行くことが求められている。この様な多様化生産に対応し、かつ金型交換時の時間的コストを節約するため、図１に示す様な金型交換を補助するダイセット導向装置１１０が使用されている。
【０００３】
図２は、従来のダイセットの固定作業時に使用される固定蓋装置の分解一部断面斜視図であるが、固定作業時に使用される固定蓋装置は導入バー３、固定係合部材４、ロック固定ネジ５により構成されている。前記導入バー３は、一端に２段状を呈する盲孔３１を形成し、かつ内周には雌ねじ３１１を形成したバー体である。
【０００４】
前記固定係合部材４は、３段状を呈する係合体構造であり、かつ軸芯に２段状を呈する穿孔を形成している。
【０００５】
前記ロック固定ネジ５は、ちょうど隙間のある状態で前記固定係合部材４を穿通し、かつ前記導入バー３の雌ねじ３１１と相互に螺合するネジ体構造である。
【０００６】
上記構成において、前記ロック固定ネジ５の穿通、螺合作用により、図３に示すように導入バー３、固定係合部材４を結合し固定蓋とするものである。
【０００７】
図４は、従来のダイセットの変更作業時に使用されるフロートライズキャップ装置の分解断面斜視図であるが、図に示すように、変更作業時に使用されるフロートライズキャップは、ガイドバー６、ガード係合部材７、浮動バー８により構成されている。
【０００８】
前記ガイドバー６は、一端に２段状を呈する盲孔状の位置導入孔６１を形成したバー体である。このガイドバー６構造の大孔端には、環状を呈し、かつＣ型フック６２と嵌合する嵌合溝６１１を形成している。
【０００９】
前記ガード係合部材７は、２段状を呈し、かつちょうど隙間のある状態で前記ガイドバー６の位置導入孔６１内に穿通するネジ体構造である。また、このガード係合部材７の軸芯には、穿孔が形成されている。
【００１０】
前記浮動バー８は、一端にフランジを形成し、反対端には直バー部８１を突設した階段状バー構造である。この浮動バー８、直バー部８１の外側端には、環状を呈し、かつＣ型クリップ８２を挟持し嵌合する挟持溝８１１を形成してある。
【００１１】
上記構造において、Ｃ型フック６２、Ｃ型クリップ８２のガード作用を利用することができ、さらにガード係合部材７がガイドバー６の位置導入孔６１内に制限されるため、浮動バー８は制限内での線移動を行うことができるようになる（図５参照）。
【考案の開示】
【考案が解決しようとする課題】
【００１２】
上記従来のダイセット導向部品の構造は、以下のように多くの欠点が存在する。
【００１３】
すなわち、固定蓋とフロートキャップの構成部品は共用することができないため、固定作業或いは変更作業においては、必ず構成部品全体を交換しなければならず、労力と時間を浪費する。
【００１４】
さらに、固定蓋とフロートキャップの構成部品は共用することができないため、異なる作業の作業ニーズを満たすために、各ダイセットは必ず２セット（固定蓋とフロートライズキャップ）を購入する必要があり、設備コストの高騰を招いている。
【００１５】
本考案は上記構造の問題点を解決したダイセット導向部品の固定ブロックを提供するものである。
【課題を解決するための手段】
【００１６】
上記課題を解決するため、本考案によるダイセット導向部品の固定ブロックは、ガイドポスト及びコントロールユニットを備え、
前記ガイドポストはダイセットの導線のガイドを行うよう構成され、該ガイドポストの一端には所望の内径と深さを有し、かつ内側に雌ねじを形成した階段盲孔状のロック対応孔を形成し、
前記コントロールユニットはダイセットのガイド作業をコントロールし、ロック固定係合部材、ソケット、ワッシャ、ロック固定ネジにより構成し、
前記ロック固定係合部材は隙間のある状態で前記ガイドポストのロック対応孔内に嵌入し、かつ所望の長さを有し、軸芯に穿孔を形成した係合体構造で、
前記ソケットは一端に隙間のある状態で前記ガイドポストのロック対応孔内に嵌入し、反対端にフランジを設け、軸芯に２段階状の穿孔を形成し、フランジ端の反対端内において縮小し形成する肩部を有し、
前記ワッシャは隙間のある状態で前記ソケット内に嵌入し、かつ該ソケットの肩部により固定、定位し、
前記ロック固定ネジはワッシャ、ソケット、ロック固定係合部材を順番に穿通し、最後にガイドポストと螺合結合することを特徴とする。
【考案の効果】
【００１７】
上記のように本考案によれば、ロック固定係合部材、定位係合部材は直径が異なり、他の構成部品は共用可能であるため、ロック固定係合部材或いは定位係合部材を交換するだけで、簡単、迅速に固定蓋装置とフロートライズキャップ装置を相互に転換することができる。しかも、使用者の固定作業或いは変更作業における作業ニーズを完全に満たすことができる。さらに、本考案のロック固定係合部材、定位係合部材は直径が異なり、他の構成部品は共用可能であるため、ガイドポスト構造を有するだけで、使用者の固定作業或いは変更作業における作業ニーズを完全に満たすことができ、効果的に設備コストを節減することができる。
【考案を実施するための最良の形態】
【００１８】
以下、図面を参照して本考案の実施例を説明する。
【実施例】
【００１９】
図６に示すように、本実施例のダイセット導向部品の固定ブロックは、ガイドポスト１及びコントロールユニット２により構成される。前記ガイドポスト１は、ダイセットの導線のガイドを行うよう構成されている。前記ガイドポスト１の一端には、所望の内径と深さを有し、かつ内側に雌ねじ１１１を有する階段盲孔状のロック対応孔１１を形成してある。しかも、前記ロック対応孔１１は、前記ガイドポスト１とコントロールユニット２が相互に対応し結合するための媒介の役割を果たすようになっている。
【００２０】
前記コントロールユニット２は、ロック固定係合部材２１、ソケット２２、ワッシャ２３、ロック固定ネジ２４により構成され、ダイセットのガイド作業をコントロールするようになっている。
【００２１】
前記ロック固定係合部材２１は、隙間のある状態で前記ガイドポスト１のロック対応孔１１内に嵌入し、かつ所望の長さを有し、軸芯には穿孔を形成した係合体構造である。
【００２２】
前記ソケット２２は、その一端には隙間のある状態で前記ガイドポスト１のロック対応孔１１内に嵌入し、反対端にはフランジ２２１を形成してある。前記ソケット２２は、軸芯には大穿孔２２２と小穿孔２２３を形成し、かつ前記ワッシャ２３、ロック固定ネジ２４を係合する２段階状穿孔構造となっている。前記大穿孔２２２と小穿孔２２３の隣接部位には、ガード定位機能を備える肩部２２４を形成してある。
【００２３】
前記ワッシャ２３は、隙間のある状態で前記ソケット２２の大穿孔２２２に嵌入し、かつ圧迫制限機能を備えるため、前記ソケット２２の肩部２２４により固定、定位される。
【００２４】
前記ロック固定ネジ２４は、ワッシャ２３、ソケット２２、ロック固定係合部材２１を順番に穿通し、最後にガイドポスト１と螺合結合する。
【００２５】
次に、図７に示すように、使用するロック固定係合部材２１の直径がソケット２２の小穿孔２２３より大きい場合、前記ソケット２２の肩部２２４の定位作用及びワッシャ２３の圧迫制限作用により、ロック固定ネジ２４はワッシャ２３、ソケット２２、ロック固定係合部材２１、ガイドポスト１を一体に固定し、ダイセットが固定作業時に使用する固定蓋装置を構成することができる。
【００２６】
続いて、図８及び９に示すように、使用するロック固定係合部材２１の直径がソケット２２の小穿孔２２３より小さい場合、前記ロック固定係合部材２１は定位係合部材２５に転換する。かつ前記ロック固定ネジ２４は、前記ワッシャ２３、定位係合部材２５、ガイドポスト１を一体に結合するとき、定位係合部材２５に嵌合するソケット２２は依然として定位係合部材２５に沿って線移動を行い、変更作業時に使用するフロートライズキャップ装置を構成する。
【図面の簡単な説明】
【００２７】
【図１】従来のダイセット導向構造を示す斜視図である。
【図２】従来のダイセットの固定作業時に使用される固定蓋装置の分解した一部断面斜視図である。
【図３】従来のダイセットの固定作業時に使用される固定蓋装置の断面図である。
【図４】従来のダイセットの変更作業時に使用されるフロートライズキャップ装置の分解した一部断面斜視図である。
【図５】従来のダイセットの変更作業時に使用されるフロートライズキャップ装置の断面説明図である。
【図６】本考案の一実施例を示す固定作業に適用する時使用される固定蓋装置の分解断面斜視図である。
【図７】本考案一実施例を示す固定作業に適用する時使用される固定蓋装置の断面説明図である。
【図８】本考案一実施例を示す変更作業時に適用し使用するフロートライズキャップ装置の分解断面斜視図である。
【図９】本考案一実施例を示す変更作業時に適用し使用するフロートライズキャップ装置の断面説明図である。
【符号の説明】
【００２８】
１  ガイドポスト
１１  ロック対応孔
１１１  雌ねじ
２  コントロールユニット
２１  ロック固定係合部材
２２  ソケット
２２１  フランジ
２２２  大穿孔
２２３  小穿孔
２２４  肩部
２３  ワッシャ
２４  ロック固定ネジ
２５  定位係合部材
３  導入バー
３１  盲孔
３１１  雌ねじ
４  固定係合部材
５  ロック固定ネジ
６  ガイドバー
６１  位置導入孔
６１１  嵌合溝
６２  Ｃ型フック
７  ガード係合部材
８  浮動バー
８１  直バー部
８１１  挟持溝
８２  Ｃ型クリップ
代理人  弁理士    伊藤  進
【図１】
0003108398.tif 000003
【図２】
0003108398.tif 000004
【図３】
0003108398.tif 000005
【図４】
0003108398.tif 000006
【図５】
0003108398.tif 000007
【図６】
0003108398.tif 000008
【図７】
0003108398.tif 000009
【図８】
0003108398.tif 000010
【図９】
0003108398.tif 000011